(57)【要約】【課題】着脱容易で、鳥類が止まりうる線状体又は棒状体を周回するように取り付けられる鳥害防止具を提供すること。さらに詳しくは、着脱容易な上に、線状体又は棒状体からはずれにくい鳥害防止具を提供すること。【解決手段】鳥類が止まりうる線状体又は棒状体を周回するように取り付けて用いる一巻きの、あるいは盤状の鳥害防止体であって、前記線状体又は棒状体を係止するための凹部を有してなる鳥害防止体。この鳥害防止体が線状体又は棒状体の長尺方向に複数連なってなる鳥害防止具。  凹部に線状体又は棒状体をはめ込むことで、簡単に線状体又は棒状体を周回するように取り付けて用いる鳥害防止具を装着できる。さらに、凹部を、開口部が狭く、その奥が相対的に広い、凹部とすれば、鳥害防止具は線状体又は棒状体からはずれにくくなる。【選択図】図１
2019050788.tif 000002
【特許請求の範囲】
【請求項１】
鳥類が止まりうる線状体又は棒状体を周回するように取り付けて用いる一巻きの、あるいは盤状の鳥害防止体であって、前記線状体又は棒状体を係止するための凹部を有してなる、鳥害防止体。
【請求項２】
凹部が、開口部が狭く、その奥が相対的に広い、請求項１の鳥害防止体。
【請求項３】
請求項１又は２の鳥害防止体が、線状体又は棒状体の長尺方向に複数連なってなる鳥害防止具。
【請求項４】
コイル状の鳥害防止具であって、各々の巻きに、鳥類が止まりうる線状体又は棒状体を係止するための凹部を有してなる鳥害防止具。
【請求項５】
各々の凹部が、開口部が互いにずれている、請求項３又は４の鳥害防止具。
【発明の詳細な説明】
【技術分野】
【０００１】
本発明は、線状体又は棒状体に鳥類が止まるのを防止する鳥害防止具に関する。さらに詳しくは、着脱容易で、線状体又は棒状体を周回するように取り付けられる鳥害防止具に関する。
【背景技術】
【０００２】
発電所で発電された電気は、送電線や配電線を経て各家庭に送られるが、電線は様々な場所に張り巡らされており、場所によっては鳥が電線に止まり、鳥の糞による電線劣化、周辺環境悪化、鳥が感電することによる停電が問題となっている。
これら問題を解決するために様々な方法が考えられている。そのひとつとして、例えば、電線の周囲をコイルで巻く方法があるが（特許文献１）、すでに張られている電線には出来上がったコイルをはめ込むことはできず、1本の針金を現場で電線周囲にコイル状に巻き付けることになるので、大変な手間がかかり現実的でなかった。特殊な取付具を使用して電線をコイルに取り付ける方法も考えられているが（特許文献２）、本来コイルのみの簡単な構造が複雑になること、電線に余計な重量負荷がかかる問題がある。さらに、引用文献２は、コイル下部に設けた取付具で、コイルを電線に取り付けるが、これだと、電線の上にコイルが配されることとなり、電線周囲をコイルで囲むという構造自体も変わってしまう。
【先行技術文献】
【特許文献】
【０００３】
【特許文献１】特開２００３−９２９７５号公報
【特許文献２】特開２００８−１７３０３２号公報
【発明の概要】
【発明が解決しようとする課題】
【０００４】
本発明の目的は、着脱容易で、鳥類が止まりうる線状体又は棒状体を周回するように取り付けられる鳥害防止具を提供することである。さらに詳しくは、着脱容易な上に、線状体又は棒状体からはずれにくい鳥害防止具を提供することである。
【課題を解決するための手段】
【０００５】
本発明者は、上記目的を達成するために種々検討の結果、線状体又は棒状体を周回するように取り付けられる巻線又は盤状の鳥害防止具の形状を工夫することで、鳥害防止具に線状体又は棒状体を係止できることを見出し、本発明に到達した。すなわち本発明は以下の通りである。
【０００６】
１．鳥類が止まりうる線状体又は棒状体を周回するように取り付けて用いる一巻きの、あるいは盤状の鳥害防止体であって、前記線状体又は棒状体を係止するための凹部を有してなる、鳥害防止体。
２．凹部が、開口部が狭く、その奥が相対的に広い、前記１の鳥害防止体。
３．前記１又は２の鳥害防止体が、線状体又は棒状体の長尺方向に複数連なってなる鳥害防止具。
４．コイル状の鳥害防止具であって、各々の巻きに、鳥類が止まりうる線状体又は棒状体を係止するための凹部を有してなる鳥害防止具。
５．各々の凹部が、開口部が互いにずれている、前記３又は４の鳥害防止具。
【発明の効果】
【０００７】
本発明の鳥害防止具によれば、周回するように取り付けられる巻線又は盤状の鳥害防止具を、線状体又は棒状体に装着する手間が大幅に削減される。特に、線状体又は棒状体が電線の場合、電線作業をするときは、絶縁防護服を着るので、手間を削減して作業性を向上させることが大変に重要で、本発明により、今まで現実的でないとされていた、電線の周囲を周回する巻線又は盤状の鳥害防止具、例えば電線用のコイル状鳥害防止具を実現可能なものとすることができる。
【図面の簡単な説明】
【０００８】
【図１】本発明の鳥害防止体の斜視図である。連結具を介して、連結されるタイプのものを示している。Ａは連結前の状態、Ｂはどのように連結されるかを示している。
【図２】本発明の鳥害防止体の斜視図である。鳥害防止体同士が連結されるタイプのものを示している。Ａは連結前の状態、Ｂはどのように連結されるかを示している。
【図３】本発明の鳥害防止体の斜視図である。連結部品を介して、連結されるタイプのものを示している。
【図４】本発明の鳥害防止具の斜視図である。コイル状のものを示している。
【図５】コイル状鳥害防止具を電線に装着したときの斜視図である。
【図６】コイル状鳥害防止具の一巻きを正面から見た図である。
【図７】クリップで鳥害防止具の凹部の首部分を挟み、電線を外れにくくした状態の図である。
【図８】開口部を少しずつずらしたコイル状鳥害防止具の斜視図である。
【図９】開口部を少しずつずらしたコイル状鳥害防止具を電線に装着したときの斜視図である。
【図１０】補強材を鳥害防止具の凹部に嵌めた状態を示している。Ａは正面からみた図である。Ｂは補強材周辺を上から見た図である。
【図１１】冶具及び、冶具を使って鳥害防止具を電線に固定した図である。Ａは冶具、Ｂは冶具を使って電線に固定した状態の鳥害防止具の凹部を上からみた図、ＣはＢのａ−ａ´断面図である。
【発明を実施するための形態】
【０００９】
以下に本発明を詳細に説明する。
図１〜４に、本発明の鳥害防止体、鳥害防止具の例を示した。鳥害防止体を、線状体又は棒状体の長尺方向に、複数連ねることで鳥害防止具となる。
鳥害防止体間を連結するときは、連結具１１や連結部品１３を介してもよいし（図１、３）、鳥害防止体同士が結合してもよい（図２）。また、各々の鳥害防止体をロープで連結してもよい。例えば、鳥害防止体にロープ通す輪を設けて、１本のロープをその輪に次々と通すことで、連結する。この場合、輪を締め付けて鳥害防止体の位置を固定できるようにするとよい。図４は当初から一体的にコイル状になっている鳥害防止具を示している。
連結具を用いる場合、末端は、例えば、末端用の連結具１２で処理することができる（図１Ｂ  １２）。
鳥類が止まりにくいよう上向きに突起が出る構造にしてもよい（例えば図２）。突起の数は１本でも複数本でも構わない。突起は水平より上向きであれば、各方向をむいていてよい。突起は先端鋭利な針状突起であればより好ましい。
また、鳥害防止体が複数連結されれば、鳥害防止体が複数連なった鳥害防止具となり、図１Ｂや図２Ｂの場合であれば、コイル状鳥害防止具ということもできる。あらかじめ複数連結させる場合、運搬に便利なように鳥害防止具がコンパクトになるのが好ましい。この点、図１、２、４、あるいはロープで連結させた鳥害防止具は線状体又は棒状体の長尺方向に縮ませることができ、コンパクトにすることができる。
巻きやコイルは、線状体又は棒状体を周回するように取り付けられるが、完全に周回するわけではなく、当然ながら、凹部の部分は周回が途切れている（例えば図１〜４）。
図１〜４で示した鳥害防止体、鳥害防止具の巻きの形状はいずれも円形だが、巻きの形状に特に制限はなく、円、楕円、各種多角形、星形などいずれでもよい。ただし、外周が曲線であれば、鳥が止まりにくくなると考えられ、巻きの形状は、円や楕円であればより好ましい。
また、鳥害防止体や鳥害防止具は必ずしも巻きの形状である必要はなく、盤状とすることも可能で、例えば円盤状にし、これを線状体又は棒状体に複数取り付けてもよい。さらに、盤の表面は多少凸凹していても構わない。
【００１０】
鳥害防止体が複数連なった鳥害防止具、あるいは当初からコイル状になっているコイル状鳥害防止具の、装着時の長尺方向の長さは、特に制限されないが、操作性の観点から、長すぎないのが、より好ましい。例えば、コイルを伸ばした装着時の長さが３ｍ、５ｍ程度としてもよい。
【００１１】
鳥害防止具装着時の単位長さ辺りの巻き数に特に制限はないが、巻き数が少ないと、鳥が、各々の巻きの間に侵入する可能性があり、巻き数が多すぎても、コストや重量負荷の問題が生じるので、設置時に、小型の鳥が侵入できない程度、カラスの足が入らない程度の巻きの間隔にするのがより好ましい。例えば、カラスの足幅は４０ｍｍ程度なので、巻きの間隔は４０ｍｍ程度かそれよりやや狭くする。盤状の場合の盤の間隔も同様に考えられる。
【００１２】
凹部は線状体又は棒状体着脱の際、通り道となる開口部が狭く、相対的に広い線状体又は棒状体保持部分がその奥に配されるのが好ましい。こうすれば、一旦線状体又は棒状体を保持部分にはめ込めば、狭い開口部に阻まれて、線状体又は棒状体がはずれにくくなる。例えば、図６のように、凹部１がΩ状の場合、開口部であるΩ状の首部分２を一時的に拡げて、電線を、Ω状の頭部分３にはめこめば、その後は、狭い首部分に阻まれて、電線がはずれにくくなる。
さらに凹部の首部分をかしめて、電線がはずれにくくしてもよい。例えば、クリップ８で、首部分を挟んでもよい（図７）。また、鳥害防止体や鳥害防止具の重心を下げれば、開口部が上を向きにくくなり、電線が外れにくくなる。
なお、鳥害防止体や鳥害防止具が盤状の場合は、凹部はくり抜かれたように形成される。
【００１３】
各々の巻きや盤の凹部の開口部を少しずつずらすことで、線状体又は棒状体がよりはずれにくくなる。例えば、Ω状凹部の開口部を、円周に沿って、数度ずつずらして、開口部が一つの方向にそろわないようにする（図８）。そうすると、開口部が揃って下側に向かって開くことがないので、電線は外れにくくなる（図９）。
【００１４】
凹部の線状体又は棒状体保持部分は、巻きや盤の外周の中心付近に配置されるのがより好ましい。中心付近に配置されれば、線状体又は棒状体は巻きや盤の外周の中心付近に位置することとなり、鳥害防止体や鳥害防止具が回転しても、巻きや盤の外周は、常に線状体又は棒状体から一定距離、離れていることになるので、鳥はより線状体又は棒状体に止まりにくくなる。例えば、図６のように、凹部１がΩ状の場合、電線を保持するΩ状の頭部分３が、コイルの同心円状に形成されれば、電線はコイルの中心軸に位置することになり、コイルが風や鳥の重さにより回転しても、コイルの外周は、常に、電線から等距離、離れていることとなるので、鳥は電線に止まりにくい。
【００１５】
本発明の鳥害防止体や鳥害防止具の線状体又は棒状体を保持する部分の大きさは、線状体又は棒状体に合わせて調整してもよいし、いくつかの規格の中で太いものに合わせて調整すれば、細い線状体又は棒状体にも対応でき、より好ましい。例えば、図６のΩ状の頭部分３は、電線の太さに合わせて大きさを調整してもよいが、使用頻度の高い規格の中で最も径の太い電線に合わせた大きさとすれば、細い電線にも対応でき、より好ましい。電線は外径２０ｍｍや４０ｍｍのものが送電線として使用頻度が高いので、外径４０ｍｍの電線に合わせて、線状体又は棒状体を保持する部分の大きさを調整してもよい。
【００１６】
凹部の線状体又は棒状体保持部分の形状に特に制限はなく、線状体又は棒状体の断面形状に合わせてもよいし、そうでなくてもよい。例えば、電線の断面形状に合わせて円形としてもよいし、電線のねじれを防止するため多角形としてもよい。
【００１７】
凹部の上の部分は、線状体又は棒状体と擦れて弱くなる可能性があるので、補強しておくのがより好ましい。例えば、凹部の上の部分を覆うように、筒状の補強材９を嵌める（図１０Ａ）。補強材９は、上部にスリット１０が入っていて、このスリットを一部で狭くすれば（図１０Ｂ）、線状体又は棒状体に嵌めやすく、取れにくくなる。
また、この部分を鳥害防止体や鳥害防止具製造時にあらかじめ擦れに強い構造にしてもよい。例えば樹脂材料の場合、補強具を一体成型したり、この部分を周囲より太くすることが考えられる。
【００１８】
本発明の鳥害防止体や鳥害防止具の素材は、樹脂、金属、及びこれらを含む複合材など、特に制限はないが、加工の容易さから、樹脂やその複合材を使用するのがより好ましい。使用する樹脂に特に制限はなく、熱可塑性樹脂でも、熱硬化性樹脂でもよいが、熱可塑性樹脂であれば例えば、ポリエチレンテレフタレート、ポリエチレン、ポリカーボネート、ポリアミド（ナイロン）などを使用してもよい。成形方法にも特に制限はないが、例えば、押出成形、射出成形してもよい。
【００１９】
本発明の鳥害防止体や鳥害防止具の取付対象、すなわち線状体又は棒状体は、主に電力会社の送電線や配電線であるが、棒材や線材があれば、取付具を用いることなしに、どこにでも取り付けることができる。例えば、電柱、鉄塔、電車の吊架線に取り付けることもできる。
【００２０】
本発明の鳥害防止具を装着する際は、凹部に線状体又は棒状体をはめ込んで装着する。鳥害防止体を複数連ねて、鳥害防止具とする場合は、あらかじめ、鳥害防止体同士をつなげて鳥害防止具としておき、現場では、鳥害防止具を装着するだけとするのがより好ましい。
例えば、工場であらかじめ、鳥害防止体（図１〜３）を、適当な長さになるまで、つなげ、鳥害防止具としておく。これを、現場に運び、電線の張られている高所に運び、Ω状凹部の首部分２（図１〜３）を拡げて最初の巻きを電線にはめ込む。続いて、同じく首部分を拡げながら、後続の巻きを、次々とはめ込んでいく。はめ込んだ後に、一方の末端を固定し、コイルを電線方向に拡げ、他の末端も固定する。さらには、必要に応じて、中間部分を固定してもよい。末端は、例えばあらかじめ、鈎状にしておき、隣のコイルや、電柱に連結してもよい。末端や中間部分の固定は、針金、結束バンド、ラッピングタイのようなもので固定するようにしてもよいし、冶具５のようなもので、電線に固定してもよい（図１１）。針金の類を使用するときは、これらが一定間隔で鳥害防止具に取り付けられていると、別部品とする煩わしさがなく、好ましい。冶具を使う場合、冶具の形状に制限はないが、例えば、屋根型のもの（図１１Ａ）と留め具７で、鳥害防止具を固定してもよい（図１１Ｂ）。冶具５を、鳥害防止具の凹部上部分６を挟むようにして電線４の上に配し（図１１Ｃ）、留め具７で固定する（図１１Ｂ）。
コイル状鳥害防止具の場合、つなげる作業は不要だが他は、鳥害防止体と同様に装着する。
このように、線状体又は棒状体に装着するのに凹部をはめ込むだけ、例えば、オーム状凹部の首部分２（図１〜４）を拡げて電線にはめ、末端を固定するだけという手間の少ない方法で、鳥害防止具を電線に取り付けることができる。
【００２１】
本発明の鳥害防止具を用いれば、鳥は線状体又は棒状体に近づくことができず、線状体又は棒状体に止まることはできない。また鳥害防止具に止まろうとしても、鳥害防止具は、足場として不安定なので、止まることができない。
例えば、コイル状鳥害防止具の場合、コイルが線状体又は棒状体の周囲を囲んでいるので、鳥は線状体又は棒状体に近づくことができない。仮に、風などでコイルが回転しても、コイルは引き続き線状体又は棒状体周囲を囲んでいるので、線状体又は棒状体に止まることはできないままである。さらに、コイルに止まろうとしても、コイルは不安定で、鳥の重さで変形したり、揺動したり、回転したりして、コイルに止まることもできない。
また、風が吹けば線状体又は棒状体が揺れ、コイルが伸び縮みするので、鳥を威嚇する効果も有する。
【産業上の利用可能性】
【００２２】
本発明の鳥害防止具によれば、鳥糞や鳥の感電による鳥害を防止できるので、鳥害に悩まされている、送電線、配電線、電話線などの維持管理に有用である。
【符号の説明】
【００２３】
１  Ω状凹部
２  Ω状凹部の首部分（開口部分）
３  Ω状凹部の線状体又は棒状体保持部分（頭部分）
４  電線
５  冶具
６  凹部上部分
７  留め具
８  クリップ
９  補強材
１０  スリット
１１  連結具
１２  末端用の連結具
１３  連結部品
【図１】
2019050788.tif 000003
【図２】
2019050788.tif 000004
【図３】
2019050788.tif 000005
【図４】
2019050788.tif 000006
【図５】
2019050788.tif 000007
【図６】
2019050788.tif 000008
【図７】
2019050788.tif 000009
【図８】
2019050788.tif 000010
【図９】
2019050788.tif 000011
【図１０】
2019050788.tif 000012
【図１１】
2019050788.tif 000013
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
コイル状の鳥害防止具であって、各々の巻きに、鳥類が止まりうる線状体又は棒状体を係止するための凹部を有してなる鳥害防止具。
【請求項２】
コイル状の鳥害防止具が、線状の巻きが複数連結して構成される、請求項１の鳥害防止具。
【請求項３】
水平より上向きに１本又は２本以上の突起を備える、請求項１又は２の鳥害防止具。
【請求項４】
各々の凹部が、開口部が互いにずれている、請求項１〜３のいずれか１の鳥害防止具。